(57)【要約】【課題】従来のシステム什器では、棚柱に内蔵するコンセント及び棚受けが、夫々専用の部品であり、製造コストが高くなるという問題点があった。【解決手段】長尺状のコンセント７と、コンセント７を内蔵したフレーム２と、フレーム２に取り付ける機能部品５とを備え、コンセント７は、長手方向にわたって一対の電極Ｅ１，Ｅ２を有し、フレーム２は、コンセント７の長手方向において、コンセント７に向けて開放された複数の開口部８を所定間隔で有し、機能部品５は、フレーム２の少なくとも一つの開口部８に対して係脱自在な係止部５Ａ〜５Ｃを有し、フレーム２の開口部８が、コンセント７に対するプラグＰの差し込み口であり且つ機能部品５の係止部５Ａ〜５Ｃの係止口であるシステム什器Ａ１とすることで、一般的なプラグＰや既存の機能部品を使用することを可能にし、製造コストを低減した。【選択図】図３
2014210017.tif 000002
【特許請求の範囲】
【請求項１】
長尺状のコンセントと、コンセントを内蔵したフレームと、フレームに取り付ける機能部品とを備え、
コンセントは、長手方向にわたって一対の電極を有し、
フレームは、コンセントの長手方向において、コンセントに向けて開放された複数の開口部を所定間隔で有し、
機能部品は、フレームの少なくとも一つの開口部に対して係脱自在な係止部を有し、
フレームの開口部が、コンセントに対するプラグの差し込み口であり且つ機能部品の係止部の係止口であることを特徴とするシステム什器。
【発明の詳細な説明】
【技術分野】
【０００１】
本発明は、陳列棚、間仕切り、及び壁面システムなどに用いられるシステム什器に関し、とくに、電源用のコンセントを内蔵したシステム什器に関するものである。
【背景技術】
【０００２】
この種のシステム什器としては、『棚柱コンセントと棚受けプラグ』の名称で特許文献１に記載されたものがある。特許文献１に記載の棚柱コンセントと棚受けプラグは、棚柱にレール状のコンセントを内蔵すると共に、棚受けにコードを内蔵し、棚受けの棚柱に引っ掛ける部分をコンセントへの差し込みプラグとして利用したものである。
【先行技術文献】
【特許文献】
【０００３】
【特許文献１】特開平９−９２４１８号公報
【発明の概要】
【発明が解決しようとする課題】
【０００４】
しかしながら、上記したような従来のシステム什器では、棚柱に内蔵するコンセント及び棚受けが、いずれも専用の部品となる。つまり、コンセントは、一般的な二端子のプラグを接続するものではなく、棚受けの引っ掛ける部分の電極配置に対応した特別な構造でなければならない。また、棚受けは、コードを内蔵し且つ引っ掛ける部分に電極を有するので、それ自体が通電経路を有する専用部品となる。このため、製造コストが高くなるという問題点があり、このような問題点を解決することが課題であった。
【０００５】
本発明は、上記従来の課題に着目して成されたもので、電源用のコンセントを内蔵したシステム什器であって、一般的なプラグや既存の機能部品を使用することが可能であり、製造コストを低減することができるシステム什器を提供することを目的としている。
【課題を解決するための手段】
【０００６】
本発明に係わるシステム什器は、長尺状のコンセントと、コンセントを内蔵したフレームと、フレームに取り付ける機能部品とを備え、コンセントは、長手方向にわたって一対の電極を有し、フレームは、コンセントの長手方向において、コンセントに向けて開放された複数の開口部を所定間隔で有し、機能部品は、フレームの少なくとも一つの開口部に対して係脱自在な係止部を有し、フレームの開口部が、コンセントに対するプラグの差し込み口であり且つ機能部品の係止部の係止口である構成としており、上記構成をもって従来の課題を解決するための手段としている。
【発明の効果】
【０００７】
本発明に係わるシステム什器は、フレームの開口部が、コンセントに対するプラグの差し込み口と機能部品の係止部の係止口とを兼用したものとなるので、電源用のコンセントを内蔵した構造でありながら、一般的なプラグや既存の機能部品を使用することを可能にして、製造コストを低減することができる。また、プラグの接続位置及び機能部品の取付位置を夫々自由に選択することができるので、陳列棚、間仕切り及び壁面システムなどの什器に適用した場合に、これらの什器の利便性が著しく向上する。
【図面の簡単な説明】
【０００８】
【図１】本発明に係わるシステム什器の一実施形態を説明する正面図である。
【図２】図１に示すシステム什器の側面図である。
【図３】フレームの要部の水平断面図である。
【図４】フレームの要部の垂直断面図（Ａ）及び正面図（Ｂ）である。
【図５】本発明に係わるシステム什器の他の実施形態を説明する斜視図である。
【図６】図５に示すシステム什器におけるプラグの接続部分の垂直断面図（Ａ）及び正面図（Ｂ）である。
【図７】図５に示すシステム什器における支持部品の装着部分の垂直断面図（Ａ）及び正面図（Ｂ）である。
【図８】本発明に係わるシステム什器におけるさらに他の実施形態を説明するフレームの水平断面図である。
【図９】本発明に係わるシステム什器におけるフレームの他の形態例を説明する断面図（Ａ）（Ｂ）、及び正面図（Ｃ）である。
【発明を実施するための形態】
【０００９】
図１〜図４は、本発明に係わるシステム什器の一実施形態を説明する図である。
図１及び図２に示すシステム什器Ａ１は、商品類の陳列棚として用いられるものであって、矩形状の基盤１と、基盤１の両側中央に夫々立設した支柱としてのフレーム２，２を備えている。また、システム什器Ａ１は、フレーム２，２間に架設した上側及び下側の横枠材３，４と、フレーム２，２に取り付けた機能部品としてのブラケット５及び棚板６を備えている。図示のシステム什器Ａ１は、フレーム２，２を間にして、両側に棚板６，６を備えている。
【００１０】
フレーム２は、図３に示すように、断面矩形状の中空部材であって、長尺状のコンセント７が竪に内蔵されている。コンセント７は、フレーム２の内側に嵌合する長尺状の本体部７Ａに、その長手方向（図では上下方向）にわたって一対の電極Ｅ１，Ｅ２を連続的に有する構造である。電極Ｅ１，Ｅ２は、本体部７Ａに形成した一対の溝部７Ｂ，７Ｂ内に設けてある。この実施形態のコンセント７は、二組の電極Ｅ１，Ｅ２を相反する向きに備えている。なお、両電極Ｅ１，Ｅ２は、断続的に設けることも可能であるが、順に電気的に接続しておくことが望ましい。
【００１１】
コンセント７の両電極Ｅ１，Ｅ２は、一般的な二端子のプラグＰを接続することができる。プラグＰは、図３に示すように、両端子Ｔ，Ｔをコンセント７の両溝部２７Ｂ，２７Ｂに差し込むことで電極Ｅ１，Ｅ２に接続され、その状態を維持することができる。このプラグＰは、電装品Ｄの一部であり、当該システム什器Ａ１が商品類の陳列棚であるから、例えば、ＰＯＰ用品としての小型テレビ、スピーカ、電動広告及び照明などの電装品の電源接続部である。また、コンセント７は、例えば下端部に、図外の電源に接続するための電源コード及びプラグを備えている。
【００１２】
上記のフレーム２は、図４に示すように、コンセント７の長手方向（上下方向）において、コンセント７に向けて開放された複数の開口部８を所定間隔で有している。開口部８は、図４（Ｂ）に示すように、プラグＰの二端子に対応した一対のスリット８Ａ，８Ａから成るものである。ここで、フレーム２は例えば金属製であり、コンセント７の本体部７Ａは例えば樹脂製である。このような場合、フレーム２は、少なくとも各開口部８の周囲に絶縁処理が施してある。
【００１３】
機能部品であるブラケット５は、両側のフレーム２，２に取り付けられ、棚板６を掛け渡した状態にして支持する。このブラケット５は、フレーム２の少なくとも一つの開口部８に対して係脱自在な係止部を有しており、この実施形態では、図４（Ａ）に示すように、上下に配列した三個の係止部５Ａ，５Ｂ，５Ｃを有している。
【００１４】
これらの係止部５Ａ〜５Ｃは、上下に隣接する三個の開口部８の同一片側のスリット８Ａに対応する突片状を成している。とくに、上段及び中段の係止部５Ａ，５Ｂは、スリット８Ａの高さ寸法Ｈｓよりも若干小さい高さ寸法Ｈｋ（Ｈｓ＞Ｈｋ）を有し、基端部の下側に、フレーム２の内側（スリット８Ａの下端内側）に係止するための切込部Ｋを有している。
【００１５】
また、上段及び中段の係止部５Ａ，５Ｂは、フレーム２の外面からコンセント７の本体部７Ａまでの距離Ｌｃよりも小さい突出寸法Ｌｋ（Ｌｃ＞Ｌｋ）を有している。これにより、係止部５Ａ，５Ｂがコンセント７の電極Ｅ１，Ｅ２に接触しない構造にしている。なお、下段の係止部５ｃは、上段及び中段の係止部５Ａ，５Ｂに比べて、高さ寸法及び突出寸法が半分以下であるうえに、切込部（Ｋ）が無いものである。
【００１６】
上記構成を備えたシステム什器Ａ１は、長尺状のコンセント７と、コンセント７を内蔵したフレーム２と、フレーム２に取り付ける機能部品５とを備え、フレーム２の各開口部８（８Ａ）が、コンセント７に対するプラグＰの差し込み口であり、且つ機能部品であるブラケット５における係止部５Ａ〜５Ｃの係止口になっている。
【００１７】
すなわち、上記のシステム什器Ａ１は、フレーム２の上下方向において、任意の位置にブラケット５とともに棚板６を取り付ける。具体的には、図４（Ａ）に示すように、上下に隣接する三個のスリット８Ａにブラケット５の係止部５Ａ〜５Ｃを通し、上段及び中段の係止部５Ａ，５Ｂの切込部Ｋをスリット８Ａの下端内側に係止する。その後、両側のブラケット５，５に棚板６を掛け渡す。また、必要に応じてねじ等でブラケット５に棚板６を固定しても良い。
【００１８】
次に、棚板６には、図１〜４に示すように、陳列する商品類に対応したＰＯＰ用品等の電装品Ｄを固定して、その電装品ＤのプラグＰをコンセント７に接続する。このとき、コンセント７に対するプラグＰの接続位置は、空いている開口部８のいずれでも良いので、陳列した商品類の邪魔にならないように自由に選択することができる。なお、図３では、図示の都合上、左側にプラグＰを示し、右側にブラケット５を示しているが、双方の位置は必ずしも同じ高さではない。
【００１９】
このようにして、上記のシステム什器Ａ１は、フレーム２の開口部８が、コンセント７に接続するプラグＰの差し込み口と、ブラケット５の係止部５Ａ〜５Ｃの係止口とを兼用したものとなり、電源用のコンセント７を内蔵した構造でありながら、一般的なプラグＰや既存の機能部品であるブラケット５をそのまま使用することが可能であるから、従来のような専用のコンセントや専用の機能部品を廃止して、製造コストを低減することができ、しかも、構造の簡略化を実現することもできる。
【００２０】
なお、上記のシステム什器Ａ１は、一般的な二端子のプラグＰを接続することが可能である。ただし、この種のシステム什器Ａ１では、コンセント７の過負荷防止のために、端子の長さを大きくした専用プラグ及びこれに対応する電極を採用し、例えばＰＯＰ用品のみを接続可能にして、家電製品を直接接続できないようにしておくことも有効である。また、上記の実施形態では、ブラケット５と棚板６とが別体であるが、これらを一体化して機能部品とすることもできる。
【００２１】
さらに、上記実施形態のように、フレーム２における開口部８が一対のスリット８Ａ，８Ａで構成される場合、これに対応してブラケット５の係止部５Ａ〜５Ｃを二列設けても良く、これにより棚板６の支持強度を向上させることができる。
【００２２】
図５〜図７は、本発明に係わるシステム什器の他の実施形態を説明する図である。
図示のシステム什器Ａ２は、既存の壁面システムＷに利用されるものであって、長尺状のコンセント２７と、コンセント２７を内蔵したフレーム２２と、フレーム２２に取り付ける機能部品としての棚板２６とを備えている。
【００２３】
この実施形態におけるフレーム２２は、図５に示す壁面システムＷにおいて、その長手方向が水平になる姿勢で取り付けられる。壁面システムＷは、隣接する壁ボードＢ同士を竪枠材Ｆで連結したものであり、竪枠材Ｆには、その長手方向において、先の実施形態の開口部（８）と同様の一対のスリットＳ，Ｓが所定間隔で形成してあり、図示しない棚板や仕切板などを取り付けることができる。
【００２４】
コンセント２７は、先の実施形態と同様に、長尺状の本体部２７Ａの片側に、長手方向にわたって一対の電極Ｅ１，Ｅ２を有する構造である。フレーム２２は、断面矩形状の中空部材であって、コンセント２７の長手方向において、コンセント２７に向けて開放された複数の開口部８を所定間隔で有している。図示例の開口部８は、一対のスリット８Ａ，８Ａである。
【００２５】
また、フレーム２２は、その両端部に、ブラケット２３が嵌合固定してある。ブラケット２３は、図６（Ａ）及び図７（Ａ）に示すように、竪枠材Ｆにおいて上下に隣接する三個のスリットＳに対応して、突片状の係止部２３Ａ〜２３Ｃを有している。
【００２６】
これらの係止部２３Ａ〜２３Ｃは、いずれもスリットＳの高さ寸法よりも若干小さい高さ寸法（図４のＨｓ＞Ｈｋを参照）と、フレーム２２の外面からコンセント２７の本体部２７Ａまでの距離よりも小さい突出寸法（図４のＬｃ＞Ｌｋを参照）と、フレーム２２の内側（スリットＳの下端内側）に係止するための切込部Ｋを有している。
【００２７】
機能部品である棚板２６は、その端部にブラケット２５を一体的に備えたもので、フレーム２２の少なくとも一つの開口部８に対して係脱自在な係止部２５Ａを有している。この係止部２５Ａは、とくに図７に示すように、ブラケット２５から上方に延出した屈曲片であって、スリット８Ａに通した後、その上端部をフレーム２２の内側（スリット８Ａの上辺内側）に係止することで、棚板２６を水平に取り付けることができる。
【００２８】
上記のシステム什器Ａ２は、壁面システムＷの竪枠材Ｆの長手方向（上下方向）において、選択したスリットＳに、フレーム２２におけるブラケット２３の各係止部２３Ａ〜２３Ｃを係止する。そして、システム什器Ａ２は、先の実施形態と同様に、フレーム２２の長手方向（水平方向）において、選択したスリット８Ａにブラケット２５を介して棚板２６を取り付ける。また、棚板２６には、図示しない電装品を配置して、その電装品のプラグＰをコンセント７に接続する。
【００２９】
このようにして、上記のシステム什器Ａ２は、電源用のコンセント２７を内蔵した構造でありながら、一般的なプラグＰや既存の機能部品である棚板２６をそのまま使用することが可能であるから、従来のような専用のコンセントや専用の機能部品を廃止して、製造コストを低減することができる。
【００３０】
この実施形態のシステム什器Ａ２は、上記説明から明らかなように、既存の壁面システムＷに対する後付けが可能である。また、上記のシステム什器Ａ２は、壁面システムＷをシステム什器として、これと複合化することができる。この場合、壁面システムＷであるシステム什器は、フレームに該当する竪枠材Ｆに長尺状のコンセントを内蔵したものとなる。これにより、上記のシステム什器Ａ２は、壁面システムＷであるシステム什器の機能部品にも相当することとなり、竪枠材Ｆ内のコンセントから電力を受ける構成にすることができる。
【００３１】
図８は、本発明に係わるシステム什器のさらに他の実施形態を説明するフレームの水平断面図である。図示例のフレーム３２は、断面正方形状の中空部材であり、長尺状のコンセント３７を内蔵している。コンセント３７は、本体部３７Ａに、一対の溝部３７Ｂ，３７Ｂとともに一対の電極Ｅ１，Ｅ２を長手方向にわたって有するもので、図示例では、四組の電極Ｅ１，Ｅ２を四方に向けて備えている。
【００３２】
これに対して、フレーム３２の四面には、長手方向において、コンセント３７に向けて開放された複数の開口部８が所定間隔で設けてある。図示例の開口部８は、一対のスリット８Ａ，８Ａから成るものである。
【００３３】
上記のフレーム３２を備えたシステム什器にあっても、先の各実施形態と同様に、電源用のコンセント３７を内蔵した構造でありながら、一般的なプラグや既存の機能部品をそのまま使用することが可能であり、製造コストを低減することができる。
【００３４】
図９は、本発明に係わるシステム什器におけるフレームの他の形態例を説明する図である。図９（Ａ）に示すフレーム４２は、断面六角形状の中空部材であり、図９（Ｂ）に示すフレーム５２は、断面円形状の中空部材である。また、図９（Ｃ）に示すフレーム６２は、その長手方向において、四角形状の複数の開口部８を所定間隔で設けたものである。
【００３５】
このように、フレームは、図９に示すもの以外にも、断面多角形状や楕円形状など様々な断面形状にすることができる。また、開口部及び係止部の互いの形態も適宜変更することができる。例えば、開口部は、スリットである場合、その数を二以上にしたり、個々のスリットの長さや幅を異ならせたりすることができ、さらには、直線状のスリットに限らず、一部若しくは全部を屈曲形状や湾曲形状にすることも可能である。このような開口部の形態に応じて、機能部品の係止部の形態も適宜変更することができる。
【００３６】
さらに、上記各実施形態では二端子のプラグを例示したが、コンセントの構造によっては、アース端子等を有する多端子のプラグの接続することもあり得るので、このようなプラグの構成に応じて開口部の形態を変更することもできる。そしてさらに、開口部に、蓋や、プラグの差し込みにより開放可能なシャッターを設けた構成にすれば、異物の差し込みや塵埃の侵入などを防止するうえで有効である。
【００３７】
本発明に係わるシステム什器は、その構成が上記各実施形態のみに限定されるものではなく、本発明の要旨を逸脱しない範囲において、各部材の形態、材料、大きさ及び数や、配置関係などを適宜変更することが可能である。また、本発明に係わるシステム什器は、陳列棚や壁面システムのほか、間仕切りや収納ユニットなどの各種什器に適用することができる。
【００３８】
また、機能部品としては、フレームの長手方向の向き（略垂直方向や略水平方向）によっても異なるが、上記各実施形態で説明したブラケットや棚板のほか、商品類を吊り下げるフック又はバー、商品類を分ける仕切、陳列棚のサイド部材、商品類を収容する箱や籠、板や格子を含むパネル類、及び書籍等のラックなどが挙げられる。
【００３９】
さらに、上記実施形態では、コンセントに接続する電装品としてＰＯＰ用品を例示したが、例えば、電化製品を陳列するシステム什器である場合には、その電化製品の電源をコンセントから得ることができる。
【符号の説明】
【００４０】
Ａ１，Ａ２        システム什器
Ｅ１，Ｅ２        電極
Ｐ                プラグ
２，２２，３２    フレーム
５                ブラケット（機能部品）
５Ａ，５Ｂ，５Ｃ  係止部
６                棚板（機能部品）
７，２７，３７    コンセント
８                開口部
２５              ブラケット（機能部品）
２５Ａ            係止部
２６              棚板（機能部品）
【図１】
2014210017.tif 000003
【図２】
2014210017.tif 000004
【図３】
2014210017.tif 000005
【図４】
2014210017.tif 000006
【図５】
2014210017.tif 000007
【図６】
2014210017.tif 000008
【図７】
2014210017.tif 000009
【図８】
2014210017.tif 000010
【図９】
2014210017.tif 000011